(57)【特許請求の範囲】
【請求項１】
ワイドな高さ対幅の比を備えたラスタを有するビデオディスプレーと、
電源電圧のソースと、
選択可能な振幅を有する鋸波の信号発生器と、
上記鋸波の上記振幅を制御する第１のスイッチと、
上記鋸波に応答し、垂直ラスタの大きさの選択を可能にするため上記鋸波の選択された振幅に伴って変化する垂直偏向信号を発生する垂直増幅器と、
上記電源電圧により給電され、第１の水平ラスタの大きさを与えるため水平偏向ヨークの水平偏向信号を発生する水平偏向回路と、
上記水平ヨークに接続され、第２の水平ラスタの大きさを与えるため上記水平偏向信号を変える信号ソースと、
上記信号ソースを制御し、上記第１及び第２の水平ラスタの大きさの中の一方を選択する第２のスイッチと、
上記垂直ラスタの大きさの振幅に応答し、上記水平偏向回路を給電する上記電源電圧を変調するラスタ幅歪み補正回路とにより構成され、上記ラスタ幅歪みは、上記選択可能な垂直及び水平ラスタの大きさの全ての組合せに対し補正されるテレビジョン受像機。
【請求項２】
上記ラスタ幅歪み補正回路は、
上記垂直偏向信号に応答する垂直レートパラボラ発生器と、
上記垂直レートパラボラに応答する変調回路とを含む請求項１記載の受像機。
【請求項３】
上記垂直レート偏向信号に従って動作するブランキング信号発生器を更に有する請求項１記載の受像機。
【請求項４】
ワイドな高さ対幅の比を備えたラスタを有するビデオディスプレーと、
電源電圧のソースと、
垂直同期信号のソースに応答し、選択可能な振幅を有する鋸波を発生する鋸波発生器と、
上記垂直同期信号を遅延させる切り替え可能な位相遅延回路と、
上記遅延された垂直同期信号の選択が上記ビデオディスプレー上でピクチャの通常の垂直位置に対し上記ピクチャの上方にシフトされた垂直位置を与えるよう、上記位相遅延回路の動作を許可及び禁止する第１のスイッチと、
上記鋸波の振幅を制御する第２のスイッチと、
上記鋸波に応答し、垂直ラスタの大きさの選択を可能にするため上記鋸波の上記選択された振幅に伴って振幅が変化し、かつ、ピクチャ位置の選択を可能にするため上記垂直同期信号の上記選択された位相に従って位相が変化する垂直偏向信号を発生する垂直増幅器と、
上記電源電圧により給電され、第１の水平ラスタの大きさを与えるため水平偏向ヨーク用の水平偏向信号を発生する水平偏向回路と、
上記水平ヨークに接続され、第２の水平ラスタの大きさを与えるため上記水平偏向信号を変える信号ソースと、
上記信号ソースを制御し、上記第１及び第２の水平ラスタの大きさの一方を選択する第３のスイッチと、
上記垂直偏向信号に応答し、上記水平偏向回路を給電する上記電源電圧を変調するラスタ幅歪み補正回路とにより構成され、
上記ラスタ幅歪みは、上記選択可能な垂直及び水平ラスタの大きさ、並びに、上記垂直同期信号の上記位相の全ての組合せに対し補正されるテレビジョン受像機。
【請求項５】
上記垂直同期信号の上記位相毎に上記垂直レート偏向信号に従って動作するブランキング信号発生器を更に有する請求項４記載の受像機。
【発明の詳細な説明】
発明の背景
１．発明の分野
本発明は、ワイドスクリーンテレビジョン受像機及びビデオディスプレーの分野に係わり、特に、偏向回路及びラスタサイズを操作することにより異なるピクチャサイズを有する異なる表示モードが実現されるワイドスクリーンテレビジョン受像機及びビデオディスプレーに関する。
２．従来技術の説明
テレビジョンピクチャに関して、実際上２種類のアスペクト比がある。第１のアスペクト比は、ピクチャの外側境界又は縁を表わす。従来のテレビジョン受像機において、このアスペクト比は４：３である。通常、水平方向の倍率が先に書かれている。ワイドスクリーンテレビジョン受像機において、このアスペクト比は、殆どの製造業者の場合に１６：９である。第２のアスペクト比は、テレビジョンスクリーンに表示された画像を表わす。例えば、真円としてテレビジョンスクリーンに現れる完全に丸い円は、１：１のアスペクト比を有する。同じ円がワイドスクリーンテレビジョン受像機に表示された場合、補正手段を全く用いなければ、円は水平軸方向に細長い楕円に見える。受像機が１６：９であるならば、円は約１．３：１のアスペクト比を有する。同じ円が適当な補正手段を用いてワイドスクリーンテレビジョン受像機上に表示されたとき、円は真円に見え、１：１のアスペクト比を有する。以下では、混乱を避けるためアスペクト比に関して二つの表現を使用する。一方の表現は“フォーマット表示比”であり、他方の表現は“画像アスペクト比”である。
用語“フォーマット表示比”はピクチャの境界又は縁の幅対高さの比を表わす。従来のビデオソースからのビデオ信号のフォーマット表示比は４：３である。従来のテレビジョン受像機のフォーマット表示比は４：３である。ワイドスクリーンビデオソースからのビデオ信号のフォーマット表示比は１６：９（場合によっては５：３、若しくは、他のワイドな比）である。
用語“画像アスペクト比”はピクチャ内の画像の幅対高さの比を表わす。１：１の画像アスペクト比を有する画像は、画像アスペクト比歪みを伴うことなく見える。１：１の画像アスペクト比を持たない画像は画像アスペクト比歪みと共に現れる。
ワイドスクリーンテレビジョン受像機及びディスプレーは、幾つかの特に有効、かつ、場合によっては重大な表示モードを有する。上記表示モードの中には、通例のフォーマット表示比を有するビデオソースからのピクチャを画像アスペクト比歪みを伴わずに表示するモード、ワイドスクリーンフォーマット表示比を有するビデオソースからのピクチャを画像アスペクト比歪みを伴うことなく表示するモード、並びに、通例のフォーマット表示比を有するビデオソースからのピクチャを画像アスペクト比歪みを伴うことなく拡大されたサイズで表示するモードが含まれる。
通例のフォーマット表示比を有するビデオソースからのピクチャーを、拡大されたサイズで画像アスペクト比歪みを伴うことなく表示することにより、屡々、ピクチャの一部分が上部及び下部で切り取られる。ワイドスクリーンディスプレーが１６：９であり、そのサイズが水平及び垂直方向に３分の４の倍率で拡大されているならば、上記部分は３分の１である。拡大されたピクチャが垂直方向で中心位置を合わされるならば、ピクチャの６分の１が上部から切り取られ、ピクチャの６分の１が下部から切り取られる。
この切り取りのため、二つの動作モード問題が生じる。一方の問題は、視聴者が切り取りを除去しピクチャのより多くの部分を観るため、ある程度の画像アスペクト比歪みを快く受け容れるかもしれないことである。この場合、別の望ましい表示モードが、通例のフォーマット表示比を有するビデオソースからのピクチャを拡大されたサイズで、許容可能な程度の僅かなアスペクト比歪みを伴って表示する。もう一つの問題は、サブタイトル及び他の種類の情報がピクチャの切り取られた部分に含まれる場合があることである。視聴者は、サブタイトル及び他の情報が重要であると考える場合が非常に多いが、画像アスペクト比歪みを許容したくはない。この場合、他の望ましい表示モードが通例のフォーマット表示比を有するビデオソースからのピクチャを、拡大されたサイズで画像アスペクト比歪みを伴うことなく表示するが、しかし、サブタイトル又は他の情報が表示され、かつ、画像の部分だけ、又は、実質的に画像の上部だけから切り取られるように、ピクチャは上方向にパンされる。
ピクチャの隠れた部分を可視化するためには垂直シフトが必要である。垂直シフトは、直流成分を垂直偏向電流に重畳することにより得られる。このため、直流カップリング及び十分な出力電流レンジを備えた垂直偏向増幅器が必要である。かかる増幅器は放散損失が増大する欠点がある。別の解決法は、垂直偏向ヨークと並列に接続された浮動直流電流源を使用することである。電流源の出力電圧のダイナミックレンジは、フライバックパルスを許容するため充分に大きくする必要がある。電流の重畳の欠点は、垂直シフトが変えられたときに垂直方向直線性補正及び左右側のピンクッション歪み補正を再調節する必要があることである。
米国特許第5,287,042号は、水平偏向振幅を制御するスイッチング配置を開示する。第１の条件で、第１のアスペクト比に対応する偏向振幅及び偏向補正パラメーターを有するラスタが発生される。第２の選択可能な条件で、第２のアスペクト比に対応する偏向振幅及び偏向補正パラメータを有するラスタが生成される。補助インダクタンスが偏向ヨークに接続され、偏向電流をインダクタを介して伝達するため、一方の選択可能な条件で短絡される。
欧州特許出願第A 0578162号は、ビデオ信号の垂直同期成分に対し選択された水平ライン数で位相シフトされた垂直リセット信号を発生するパニング回路を含む垂直パニングシステムを開示する。
上記全ての表示モードを実現することは、高価であり、かつ、膨大な信号処理能力を必要とする。また、上記表示モードは、典型的なラスタ歪み問題を補正する際に、ピクチャ又はラスタサイズが変えられるので左右ピンクッション歪みのような問題を生ずる。
発明の概要
本発明の配置によれば、ワイドスクリーンテレビジョン受像機又はディスプレーは、上記種々の表示モードを比較的安価な態様で実現し、同時に、左右ピンクッション歪みのような典型的なラスタ歪み問題の補正を提供する。
本発明の他の配置によれば、ワイドスクリーンテレビジョン受像機又はディスプレーは、選択可能な水平幅及び垂直高さ、即ち、選択可能なフォーマット表示比を有するワイドスクリーンビデオディスプレーにラスタを生じさせるため、水平及び垂直偏向回路の操作により上記種々の表示モードを実現する。
本発明の他の配置によれば、ワイドスクリーンテレビジョン受像機又はディスプレーは、ある表示モードから別の表示モードに替えるため。水平及び垂直走査振幅が偏向されると共に、左右ピンクッション歪みを自動的に補正する。
本発明の現時の好ましい実施例によれば、通例のビデオソースからのピクチャ、即ち、４：３のフォーマット表示比を有するピクチャを表示するため三つの表示モードが定義される。上記モードは、“標準”、“ワイド”及び“ズーム”と称される。
標準表示モードは、垂直変更高さを変えることなくラスタのフォーマット表示比を１６：９から４：３に変えることにより、かかる通例のピクチャを通常のスタイル及びサイズで表示する。水平走査振幅だけが変えられ、水平走査振幅は縮小される。かかる画像には画像アスペクト比歪みが無く、切り取られない。
ワイド表示モードは、水平走査振幅を変えることなくラスタのフォーマット表示比を１６：９から４：３に変えることにより、通例のピクチャを拡大されたモードで表示する。垂直走査振幅だけが変えられ、垂直走査振幅は増大される。ワイドスクリーンラスタ及びディスプレーの幅全体を用いることにより得られる３分の４倍の水平方向オーバースキャンに対応して、３分の４倍の垂直方向オーバースキャンが存在する。拡大されたピクチャの上部及び下部の６分の１は切り取られるが、画像アスペクト比歪みは存在しない。
ズーム表示モードは、垂直オーバースキャン倍率が３分の４よりも小さい点を除いてワイドモードと類似する。拡大されたピクチャーは垂直方向に僅かに圧縮される。拡大されたピクチャの上部及び下部の６分の１未満が切り取られるが、ある程度の画像アスペクト比歪みが在る。
本発明の他の配置によれば、上方向へのピクチャシフトは、ビデオ信号に対し垂直走査を遅延させることにより実現される。これにより、ワイドモードの４：３ピクチャの下部がスクリーンの下方縁の近くに置かれる。これは、特に、サブタイトルが存在する場合に有効である。垂直直線性補正及び左右側のピンクッション歪み補正は、この方法を用いて一定に保たれる。また、ディジタル遅延回路を用いる他の垂直ピクチャ位置合わせ方法が提案される。これにより、上方向及び下方向の垂直パンが行えるようになる。
上記少なくとも一つ以上の本発明の配置によるテレビジョン受像機は、
ワイドな高さ対幅の比を伴うラスタを有するビデオディスプレーと、
電源電圧のソースと、
選択可能な振幅を有する鋸波のための信号発生器と、
上記鋸波の上記振幅を制御する第１のスイッチと、
上記鋸波に応答し、垂直ラスタの大きさの選択を可能にするため、上記鋸波の上記選択された振幅に伴って変化する垂直偏向信号を発生する垂直増幅器と、
上記電源電圧により印加され、第１の水平ラスタの大きさを与えるため水平偏向ヨーク用の水平偏向信号を発生する水平偏向回路と、
上記水平ヨークに接続され、第２の水平ラスタの大きさを与えるため上記水平偏向信号を変える信号ソースと、
上記信号ソースを制御し、上記第１及び第２の水平ラスタの大きさの一方を選択する第２のスイッチと、
上記垂直偏向信号に応答し、上記水平偏向回路に印加される上記電源電圧を変調するラスタ幅歪み補正回路とにより構成され、上記ラスタ幅歪みは上記選択可能な垂直及び水平ラスタの大きさの全ての組合せに対し補正される。
上記少なくとも一つ以上の本発明の配置による他のテレビジョン受像機は、
ワイドな高さ対幅の比を伴うラスタを有するビデオディスプレーと、
電源電圧のソースと、
垂直同期信号のソースに応答し、選択可能な振幅を有する鋸波を発生する鋸波発生器と、
上記垂直同期信号を遅延させる切り替え可能な位相遅延回路と、
上記遅延された垂直同期信号の選択が上記ビデオディスプレー上でピクチャの通常の垂直位置に対し上記ピクチャの上方向にシフトされた垂直位置を与えるよう、上記位相遅延回路の動作を許可及び禁止する第１のスイッチと、
上記鋸波の振幅を制御する第２のスイッチと、
上記鋸波に応答し、垂直ラスタの大きさの選択を可能にするため上記鋸波の上記選択された振幅に伴って振幅が変化し、かつ、ピクチャ位置の選択を可能にするため上記垂直同期信号の上記選択された位相に従って位相が変化する垂直偏向信号を発生する垂直増幅器と、
上記電源電圧により印加され、第１の水平ラスタの大きさを与えるため水平偏向ヨークの水平偏向信号を発生する水平偏向回路と、
上記水平ヨークに接続され、第２の水平ラスタの大きさを与えるため上記水平偏向信号を変える信号ソースと、
上記信号ソースを制御し、上記第１及び第２の水平ラスタの大きさの中の一方を選択する第３のスイッチとにより構成される。
上記少なくとも一つ以上の本発明の配置による他のテレビジョン受像機は、
ワイドな幅対高さの比を有するビデオスプレーと、
水平偏向信号を変えることにより異なるサイズの選択可能なラスタを上記ビデオディスプレー上に発生する水平及び垂直偏向回路と、
垂直偏向信号に応答し、第１の制御信号を発生する回路と、
上記第１の制御信号に応答し、実質的に放物線状の信号を発生する波形発生器と、
上記実質的に放物線状の信号に応答するラスタ歪み補正回路と、
選択された水平ラスタ幅を表わす第２の制御信号のソースとにより構成され、上記水平偏向は上記第２の制御信号に応じて変えられる。
上記少なくとも一つ以上の本発明の配置による他のテレビジョン受像機は、
ワイドな幅対高さの比を有するビデオディスプレーと、
水平偏向電流を発生する水平偏向回路と、
前記水平偏向回路に応答する水平偏向ヨークと、
インダクタと、
上記インダクタを上記水平偏向ヨークに動作的に接続するスイッチと、
選択されたラスタ幅を表わす制御信号のソースとにより構成され、上記スイッチは上記制御信号に応答する。
【図面の簡単な説明】
図１は一つ以上の本発明の配置によるテレビジョン受像機のブロック図である。
図２は図１に示された鋸波発生器の概略図である。
図３は図１に示されたパルス遅延回路の概略図である。
図４は図１に示されたパラボラ発生器の概略図である。
図５は図１に示されたウィンドウ弁別器の概略図である。
図６は図１に示された水平偏向回路の概略図である。
図７は図１に示された水平出力回路及び振幅切り替え回路の略ブロック図である。
図８は図１及び６に示された左右制御回路の概略図である。
図９は図１及び３に示されたパルス遅延回路の動作を説明するため用いられるタイミングチャートである。
図１０は図１及び５に示されたウィンドウ弁別器の動作を説明するため用いられるタイミングチャートである。
図１１はディジタル垂直シフト回路のブロック図である。
図１２は図１１に示された垂直シフト回路の動作を説明するため用いられるタイミングチャートである。
図１３は図１１に示されたディジタル垂直シフト回路の概略図である。
好ましい実施例の詳細な説明
図１は一つ以上の新規な配置によるテレビジョン受像機１０のブロック図である。フォーマット信号及びズーム信号は、垂直偏向振幅を異なる表示フォーマットに変えるため鋸波発生器２０に与えられる制御信号である。元の垂直ドライブパルスＶＩＮは、パルス遅延回路３０に供給される。ＶＳＨＩＦＴ信号は、鋸波発生器を同期させる垂直ドライブパルスＶＯＵＴの遅延時間を制御するため使用される。また、上記パルスは、図示しないオンスクリーン表示回路の垂直同期のため使用される。
垂直走査振幅上の情報は垂直増幅器２５の偏向電流検出抵抗Ｒｓから取り出され、ウィンドウ弁別器６０内で調整可能な基準であるオーバースキャンブランキングレベルと比較される。出力のブランキング信号は、過大な垂直オーバースキャン中にビーム電流を抑止するため使用される。抵抗Ｒｓの両端の電圧は、左右制御回路８０をドライブするパラボラ発生器４０に印加される。台形歪みはパラボラ発生器の台形調節により補正される。水平偏向回路６０は、４：３及び１６：９のピクチャフォーマットに対する走査振幅適応性を有する。
水平及び垂直ヨークがワイドスクリーンビデオディスプレー１２、即ち、ワイドフォーマット表示比、例えば、１６：９を有するビデオディスプレーを形成する陰極線管に配置される。
図２は、鋸波発生器２０及び垂直増幅器２５により形成された垂直偏向回路の鋸波発生器２０の回路図である。垂直走査振幅は、フォーマット信号をスイッチＳ３を介してＱ３に供給することによって垂直鋸波発生器の電流源Ｑ４の出力値を変更することにより変えられる。スイッチＳ１乃至Ｓ６を含む図示された全てのスイッチは、簡単化のためトグルスイッチとして例示されている。スイッチの一部又は全部は、手動スイッチ、遠隔制御型スイッチ、又は、例えば、遠隔制御信号に応じてマイクロプロセッサにより制御されるスイッチとして実現することが可能である。スイッチの一部又は全部は、半導体スイッチ又は継電器として実現してもよい。ズーム表示モードスイッチＳ２１は開いている。１６：９のフォーマット表示比と、ダークサイドパネルを備えた標準４：３ピクチャに対し、フォーマット信号はロー（例えば、１Ｖ）であるので、トランジスタＱ１乃至Ｑ３は非導通状態である。垂直鋸波電圧の振幅はＲ１３により調節されたＱ４のエミッタ電流によって決められる。ワイドモードにおいて４：３のピクチャを表示するため、フォー  マット信号はハイ（例えば、８Ｖ）であるので、Ｑ２及びＱ３は導通する。補助電流がＱ２からＱ４のエミッタに供給され、垂直走査振幅を増大させる。ワイドモードにおいて４：３アスペクト比に対するピクチャの高さはＲ１０により調節される。
フォーマット信号とは無関係に、垂直ズーミングは、スイッチＳ１が閉成されたときに選択される。Ｄ１が導通しているため、トランジスタＱ３及びＱ２は避けられる。Ｑ１は導通し、Ｑ４のエミッタに電流を供給する。垂直サイズは、ワイドモード中に振幅の約８５％まで縮小され、Ｒ４を用いて調節される。垂直鋸波は垂直増幅器をドライブするＱ６により緩衝される。直線性はＱ６の帰還路内のＲ２０（ＶＬＩＮ）を用いて調節される。
図３のパルス遅延回路３０において、垂直ドライブパルスＶＩＮはデュアルタイマＵ１及びその関連部品により遅延される。トランジスタＱ８は、Ｃ１０及びＲ３３により微分された負性に変化する前縁でＵ１Ａをトリガする。Ｕ１Ａの５番ピン上の出力信号のパルス幅はＶＳＨＩＦＴスイッチＳ４で選択される。垂直シフトの場合にＳ２は開成するので、Ｑ７は導通し、Ｃ７を短絡し、Ｃ８を接地させる。結果として得られた約２ｍｓｅｃのパルス幅は、シフトされたピクチャに対する遅延時間である。波形ＶＩＮ及びＶＯＵＴは図９に示されている。
スイッチＳ４は垂直方向の中心位置合わせのため閉成される。これにより、Ｑ７がターンオフされるので、タイミング容量はＣ７になり、遅延は無視し得る２μｓｅｃまで短絡される。Ｕ１Ａからの出力パルスの後縁は、Ｒ３６及びＣ１４を介してＵ１Ｂをトリガする。Ｕ１Ｂの９番ピンで約０．６ｍｓｅｃ間隔の出力パルスがＱ５を介して鋸波発生器を同期させるため使用され、更なる用途のためＶＯＵＴとして得られる。
図４にはパラボラ発生器４０が示されている。パラボラ発生器用の入力信号は、０．６８オームの値を取り得るサンプリング抵抗Ｒｓの両端における鋸波電圧である。Ｒｓからの鋸波電圧はＵ３の２番ピンへの入力である。
Ｕ３の７番ピンからの出力電圧は実質的に放物線状であり、図８に詳細に示された左右制御回路８０に直流カップリングされる。これにより、水平偏向電流の振幅変調のピークが垂直走査振幅の全範囲に亘って一定に保たれる。交流カップリングされている場合、ピクチャ幅及び左右補正はピクチャ高さに依存して変化する。
図１及び２を参照するに、スイッチＳ３は垂直偏向高さを選択する制限信号のソースである。サンプリング抵抗Ｒｓは選択された垂直偏向高さを表わす更なる制限信号のソースである。図４を参照するに、更なる制御信号は、異なる垂直偏向高さが選択されると共に、実質的に放物線状の信号を確定する。従って、実質的に放物線状の信号は、異なる垂直偏向高さが選択されると共に、自動的に調節される。図８を参照するに、実質的に放物線状の信号はトランジスタＱ５の動作を制御する。トランジスタＱ５の動作のパラボラ変調は水平出力トランジスタへの電源電圧を変調し、全ての選択された垂直及び水平走査振幅に対する左右ピンクッション歪みを自動的に補正する。
図５を参照するに、垂直偏向回路のピーク・ツウ・ピーク振幅はクワッド演算増幅器Ｕ２を中心に作られたウィンドウ弁別器により監視される。Ｒｓからの電流サンプリング電圧は、両方向のオーバスキャンを検出するため、Ｕ２Ｂの非反転入力及びＵ２Ｃの反転入力に接続される。両方の極性を備える緩衝されたオーバースキャンブランキングレベル電圧は、Ｕ２Ｂ及びＵ２Ｃ夫々のもう一方の入力に供給される。オーバースキャンの期間中、Ｕ２Ｂ及びＵ２Ｃの出力は正側に移り、ダイオードＤ５及びＤ６により結合され、ビーム電流の付加的なブランキングのためＲ２８を介して利用可能である。図１０には、電流サンプリング電圧、両方の極性に対するオーバースキャンブランキングレベル及びウィンドウ弁別器の最終的な出力ブランキング信号が示されている。
図６には水平偏向回路６０が示される。図７には水平出力回路７０及び水平切り替え回路７２がより詳細に示される。図６及び７を参照するに、スイッチ１はダークサイドパネルを備えた標準４：３ディスプレーに対し開成する。トランジスタＱ８はオン状態であり、Ｑ７をターンオフし、これにより、偏向電流を低減するためインダクタＬ３を水平ヨークＬＨと直列接続する。Ｓ１が閉成されたとき、フライバック変成器のヒーター巻線の電圧は、Ｑ８をカットオフするためダイオードＤ１２により整流される。トランジスタＱ７はＬ３を短絡させ、これにより１６：９及び４：３ワイドモードピクチャーを表示する水平電流を増加する。
掃引期間の始めに、水平偏向電流の寄生高周波発振がＤ１０、Ｒ２６、Ｒ２７、Ｒ２８及びＣ１６を用いて抑止される。フライバック変成器の漏れインダクタンスにより生じる高電圧巻線内の発振は２．５ｍＨである。異なる表示モードにおける垂直及び水平偏向電流の振幅を表１に列挙する。
0003724809.tif 000002
下方垂直シフトはある種のピクチャの場合に望ましい。これを実現するため、垂直同期パルスがビデオ信号に先行する必要がある。１フィールド±数ラインの間隔により垂直パルスを遅延させることによって、ピクチャが同じ量で上方又は下方へシフトする。かかる遅延をアナログ回路を用いて発生させた場合、ジッタにより誘起される不正確なインタレースが問題になる可能性がある。
図１１は、垂直ドライブパルスを水平ラインの半分の間隔の整数倍で遅延するためディジタルカウンタ１１２、１１３及び１１４とデコーダ１１５とを使用する回路１１１のブロック図である。遅延時間は、１フィールド間隔マイナス３６ラインから１フィールド間隔プラス３５．５ラインまでの期間でライン走査期間の半分の増分量により調節可能である。この結果として得られるピクチャの最大垂直シフトは、中心位置から３６ライン下方及び中心位置から３５．５ライン上方である。これは、マイナス７２からプラス７１までのカウントに一致する。信号ＶＯＵＴの相対的な位相位置は図１２に示される。
図１３は、２個のプログラマブル論理デバイス（ＰＬＤ）Ｕ４及びＵ５と、Ｕ６及びＵ７を中心に作られた位相ロックドループ（ＰＬＬ）周波数２倍器とを有する回路１１１の詳細な系統図である。プログラマブル論理デバイスＵ４は、カウンタ１１２（カウンタ１）及びデコーダ１１５を含む。プログラマブル論理デバイスＵ５は、カウンタ１１３（カウンタ２）及びカウンタ１１４（カウンタ３）を含む。垂直位置制御用のアクティブ・ロー信号は、スイッチＳ５及びＳ６により発生される。スイッチＳ５はシフトアップ又はシフトダウン機能を提供し、スイッチＳ６はセンタ位置にリセットする。回路への入力信号は、垂直ドライブパルスＶＩＮ及び水平ドライブパルスＨＩＮである。２ｆＨクロックを利用することができるならば、ＰＬＬ周波数２倍器を省いても構わない。
提案された偏向システムは、最小限の追加コストで最も望ましい動作モードを有するワイドスクリーンテレビジョン受像機を実現するためワイドスクリーン画像管を使用する従来のカラーテレビジョンシャシーに容易に組み込むことが可能である。
【図１】
0003724809.tif 000003
【図２】
0003724809.tif 000004
【図３】
0003724809.tif 000005
【図４】
0003724809.tif 000006
【図５】
0003724809.tif 000007
【図６】
0003724809.tif 000008
【図７】
0003724809.tif 000009
【図８】
0003724809.tif 000010
【図９】
0003724809.tif 000011
【図１０】
0003724809.tif 000012
【図１１】
0003724809.tif 000013
【図１２】
0003724809.tif 000014
【図１３】
0003724809.tif 000015